(57)【要約】  回転制御デバイスは、環状のシールと、回転カム及び係合部材を備え、シール及び／または軸受をハウジングに対して開放可能に固定するラッチとを含むことができ、これにより、ハウジングに対するカムの回転が部材を移動させる。回転制御デバイスの外部ハウジングに対して環状のシールをラッチする方法は、回転カムを回転させることを備えることができ、これにより、ハウジングに対してシールを開放可能に固定する係合部材が直線的に移動され、他方でハウジングに対するシールの回転が可能となる。別の回転制御デバイスは外部ハウジングと、環状のシールと、回転カム及びハウジング内に配置された複数の別個の係合部材を備えるラッチとを備えることができ、ハウジングに対するカムの回転がハウジング内の部材を移動させる。【選択図】図２
2016525638.tif 000002
【特許請求の範囲】
【請求項１】
外部ハウジングと、
少なくとも１つの環状のシールと、
少なくとも１つの回転カム、及び、前記環状のシール及び軸受を含むグループの少なくとも１つを前記外部ハウジングに対して開放可能に固定する少なくとも１つの係合部材を備えるラッチと、を含み、
前記外部ハウジングに対する前記回転カムの回転が、前記係合部材を移動させる、回転制御デバイス。
【請求項２】
前記環状のシールが、前記外部ハウジングからの取外されるのを防ぐように前記ラッチによって固定される場合に、前記環状のシールが、前記外部ハウジングに対して回転可能である、請求項１に記載の回転制御デバイス。
【請求項３】
前記環状のシール及び前記軸受を備えるシール及び軸受アセンブリをさらに含み、前記シール及び軸受アセンブリが前記外部ハウジングから取外されるのが、前記ラッチによって防止される、請求項１に記載の回転制御デバイス。
【請求項４】
前記ラッチが、前記回転カムを回転させるモータを備える、請求項１に記載の回転制御デバイス。
【請求項５】
前記ラッチが、前記回転カムに連結されたギアをさらに備え、前記ギアが前記モータによって駆動される、請求項４に記載の回転制御デバイス。
【請求項６】
前記係合部材が、前記回転カムの回転に応答して、前記外部ハウジングに対して半径方向に移動する、請求項１に記載の回転制御デバイス。
【請求項７】
前記係合部材が、前記回転カムの回転に応答して、前記外部ハウジングに対して外側に移動され、前記環状のシール及び前記軸受を含む前記グループの前記少なくとも１つが前記外部ハウジングから取外されるのが可能となる、請求項１に記載の回転制御デバイス。
【請求項８】
回転制御デバイスの外部ハウジングに対する少なくとも１つの環状のシールの開放可能なラッチ方法であって、前記方法が、
回転カムを回転させることを含み、これにより、前記外部ハウジングに対して前記環状のシールを開放可能に固定する係合部材が直線的に移動され、
前記環状のシールが前記外部ハウジングから取外されるのが防止される位置へ前記係合部材が移動される場合に、前記外部ハウジングに対する前記環状のシールの回転が可能となる、方法。
【請求項９】
前記回転させることが、モータを用いて前記回転カムを回転させることをさらに含む、請求項８に記載の方法。
【請求項１０】
前記回転させることが、前記モータを用いてギアを回転させることをさらに含む、請求項９に記載の方法。
【請求項１１】
前記回転制御デバイスが軸受を含み、前記環状のシールの取外しが防止される位置へ前記係合部材が移動される場合に、前記軸受が前記外部ハウジングから取外されるのが防止される、請求項８に記載の方法。
【請求項１２】
前記係合部材が、前記回転することに応答して、前記外部ハウジングに対して半径方向に移動する、請求項８に記載の方法。
【請求項１３】
前記回転させることが、前記外部ハウジングに対して外側に前記係合部材を移動させることをさらに含み、これにより、前記環状のシールが前記外部ハウジングから取外されるのが可能となる、請求項８に記載の方法。
【請求項１４】
外部ハウジングと、
少なくとも１つの環状のシールと、
少なくとも１つの回転カム及び前記外部ハウジング内に配置された複数の別個の係合部材を備えるラッチと
を含み、前記外部ハウジングに対する前記回転カムの回転が、前記外部ハウジング内の前記係合部材を移動させる、回転制御デバイス。
【請求項１５】
前記環状のシールが、取外されるのを防ぐように前記ラッチによって固定される場合に、前記環状のシールが、前記外部ハウジングに対して回転可能である、請求項１４に記載の回転制御デバイス。
【請求項１６】
軸受をさらに含み、前記軸受が前記外部ハウジングから取外されるのが、前記ラッチによって防止される、請求項１４に記載の回転制御デバイス。
【請求項１７】
前記ラッチが、前記回転カムを回転させる少なくとも１つのモータを備える、請求項１４に記載の回転制御デバイス。
【請求項１８】
前記係合部材が、前記回転カムの回転に応答して、前記外部ハウジングに対して半径方向に移動する、請求項１４に記載の回転制御デバイス。
【請求項１９】
前記係合部材が、前記回転カムの回転に応答して、前記外部ハウジングに対して直線的に移動する、請求項１４に記載の回転制御デバイス。
【請求項２０】
前記係合部材が、前記回転カム上に形成された複数のそれぞれのカム輪郭によって移動される、請求項１４に記載の回転制御デバイス。
【発明の詳細な説明】
【技術分野】
【０００１】
本開示は、一般に、地下の坑井に関連して使用される機器及び実施される動作に関し、以下で説明される一実施例において、より詳細には、回転ラッチを備える回転制御デバイス提供する。
【背景技術】
【０００２】
回転制御デバイス（ＲＣＤ、また回転ヘッド、回転噴出防止装置及び回転ダイバータとしても知られる）は、地表またはその付近で、回転可能なチューブラ（ドリルストリングまたは他のチューブラストリングの一部など）の周囲のアニュラスを密封するのに使用される。この目的のために、回転制御デバイスは、チューブラと共に回転できる環状のシールを備える。軸受が、回転制御デバイスの外部ハウジングに対してシールを回転させるのに使用できる。
【発明の概要】
【発明が解決しようとする課題】
【０００３】
シール及び／または軸受が、所望の場合に好都合に取付け及び取外しできるように、外部ハウジングに対してシール及び／または軸受を開放可能にラッチできることが有益である。それゆえ、回転制御デバイス用のラッチを構築し、且つ動作させる当技術分野において、改良が絶えず必要とされることが理解されよう。
【図面の簡単な説明】
【０００４】
【図１】本開示の原理を実施することのできる坑井システム及び関連する方法の代表的な断面図である。
【図２】シール及び軸受アセンブリが回転制御デバイスの外部ハウジングにラッチされた状態の、図１の坑井システム及び方法の代表的な断面図である。
【図３】回転制御デバイスの回転ラッチの係合部材についての倍尺の代表的な斜視図である。
【図４Ａ】それぞれラッチされていない構成及びラッチされた構成の、ラッチの代表的な断面図である。
【図４Ｂ】それぞれラッチされていない構成及びラッチされた構成の、ラッチの代表的な断面図である。
【図５】回転ラッチのカム輪郭の代表的な斜視図である。
【図６】回転ラッチの別の実施例の代表的な断面図である。
【図７】回転制御デバイスの代表的な断面図である。
【図８】回転ラッチの手動の回転機構の代表的な断面図である。
【図９】図７の線９‐９に沿った、回転制御デバイスの代表的な断面図である。
【図１０】図７の線１０‐１０に沿った、回転制御デバイスの代表的な断面図である。
【発明を実施するための形態】
【０００５】
図１は、本開示の原理を実施することのできる坑井システム１０及び関連する方法の代表的な断面図である。しかし、システム１０及び方法は、実際には本開示の原理の適用の一実施例に過ぎず、多種多様な他の実施例が可能であることを明確に理解すべきである。従って、本開示の範囲は、本願で説明され、及び／または図面に示したシステム１０及び方法の詳細に少しも限定されない。
【０００６】
図１の実施例において、回転制御デバイス（ＲＣＤ）１２はライザストリング１４の一部として連結され、これにより、ライザストリングの流動通路１６はＲＣＤを通って長手方向に延在する。ＲＣＤ１２は、環状の噴出防止装置（ＢＯＰ）１８とダイバータタイバック２０との間に連結される。しかし、他の実施例において、ＲＣＤ１２は、必ずしもライザストリングの一部として連結されず（例えば、ＲＣＤは地上のリグで使用されてもよい）、ＲＣＤは、必ずしも特定の坑井用器具間または構成要素間に連結されない。
【０００７】
通路１６が坑井内（図示せず）と連絡するように、ＢＯＰ１８は様々なタイプの構造２２（例えば、ライザストリング１４のテンショナリング、ウェルヘッドまたはロアーマリンライザパッケージ（ＬＭＲＰ））に連結できる。ダイバータタイバック２０は、浮遊式またはジャッキアップ式掘削リグのリグダイバータ（図示せず）に連結できる。しかし、本開示の範囲は、特定のタイプの掘削リグでのＲＣＤ１２の使用に限定されず、または、上記もしくは下記ＲＣＤの構成要素や坑井用器具の特定の配置や構成に限定されない。
【０００８】
ＲＣＤ１２は、ＲＣＤの外部ハウジング２６内にシール及び軸受アセンブリ（図２参照）を開放可能に固定するための回転ラッチ２４を備える。図１において、ラッチ２４が、外部ハウジング２６内に円周方向に配置された複数の係合部材２８を備えることが理解できる。
【０００９】
図２は、図１の坑井システム１０及び方法の代表的な断面図であり、シール及び軸受アセンブリ３０は回転制御デバイスの外部ハウジング２６にラッチされている。この構成において、アセンブリ３０の環状のシール３２は、通路１６内に挿入されるチューブラ３４（ドリルパイプなど）の外側に密封して係合できる。
【００１０】
アセンブリ３０は軸受３６を備え、これにより、シール３２が外部ハウジング２６に対して回転することが可能となる。このやり方で、シール３２はチューブラ３４と共に回転でき、他方でチューブラと外部ハウジング２６との間に半径方向に形成された輪形隙間３８を密封できる。ラッチ２４は、アセンブリ３０を開放可能に固定して、外部ハウジング２６から取外されるのを防ぐ。
【００１１】
図１及び図２の実施例において、ラッチ２４は、シール３２と軸受３６との両方を開放可能に固定して、ＲＣＤ１２から取外されるのを防ぐ。しかし、他の実施例においては、ラッチ２４はシール３２のみまたは軸受３６のみを開放可能に固定してもよい（例えば、シールが外部ハウジング２６から別個に取外し可能である場合である）。それゆえ、本開示の範囲は、特定のタイプのシール及び軸受アセンブリの使用に限定されず、または、シールと軸受との両方を備えるアセンブリの使用に限定されない。
【００１２】
１つのシール３２のみが図２に示されており、当該シールは、当業者に「パッシブ」シールとして知られたタイプのものとして例示されている。しかし、他の実施例においては、複数のシールが使用されてもよく、また、シールのうちのいくつかまたは全てが「アクティブ」シールであってもよい。シール３２は、外部ハウジング２６内部に必ずしも配置されない。それゆえ、本開示の範囲が、特定の数、配置またはタイプの環状のシールの使用に限定されないことが理解されよう。
【００１３】
以下でより十分に説明されるように、シール及び軸受アセンブリ３０がＲＣＤ１２から取外されるのを防ぐ位置と、シール及び軸受アセンブリを外部ハウジング２６に挿入でき、またはそこから取外しできる位置との間を、ラッチ係合部材２８は外部ハウジング２６に対して半径方向に移動できる。
【００１４】
図３は、回転制御デバイス１２の回転ラッチ２４の１つの係合部材２８についての倍尺の代表的な斜視図である。この図において、部材２８が、概ねＴ字型の窪み４０及び凹状に湾曲した係合面４２を備えることが明確に理解できる。
【００１５】
窪み４０は、以下で説明される別の部材に係合部材２８を連結するために構成される（図４Ａ及び図４Ｂ参照）。係合面４２は、シール及び軸受アセンブリ３０上に形成された環状の窪み（図４Ａ及び図４Ｂ参照）に補完的に係合するように構成される。
【００１６】
しかし、他の実施例においては、係合部材２８は別の方法で構成されてもよい。例えば、係合部材２８は別の部材にねじ留めされてもよく、もしくは、別の方法で連結されてもよく、または、係合部材はそのような他の部材と一体に形成されてもよい。湾曲した係合面４２は、代わりに、平面状、直線状または凸状としてもよい。それゆえ、本開示の範囲は、特定の構成の係合部材２８に限定されない。
【００１７】
図４Ａ及び図４Ｂは、それぞれラッチされていない構成及びラッチされた構成の、ラッチ２４の代表的な断面図である。図４Ａにおいては、係合部材２８はラッチ２４の回転カム４４によって半径方向に外側に移動され、図４Ｂにおいては、係合部材は、回転カムによって半径方向に内側に移動されて、シール及び軸受アセンブリ３０上の環状の窪み４６と係合する。
【００１８】
係合部材２８が図４Ａに示した位置にある場合、シール及び軸受アセンブリ３０はＲＣＤ１２に挿入でき、またはそこから取外すことができる。係合部材２８が図４Ｂに示した位置にある場合、シール及び軸受アセンブリ３０は、ＲＣＤ１２から取外されるのが防止される。
【００１９】
係合部材２８はロッド４８に連結され、当該ロッドは、外部ハウジング２６を通って半径方向に形成された開口５０内に密封して摺動して受けられる。ロッド４８は、係合部材２８内の窪み４０と相補的に係合するための形状をしたヘッド５２を備える。
【００２０】
他の実施例において、係合部材２８とロッド４８とは別の方法で連結されてもよく、または、これらは一体に形成されてもよい。それゆえ、本開示の範囲は、特定の構成のロッド４８に限定されず、または、ロッドを係合部材２８に連結する特定のやり方に限定されない。
【００２１】
部材２８及びロッド４８は、回転カム４４内に形成されたカム輪郭５４、５６、５８を用いて、外部ハウジング２６に対して半径方向に内側及び外側に移動される。カム４４が一方向に回転される場合、輪郭５４が、部材２８及びロッド４８を図４Ａの位置へ半径方向に外側に移動させる。カム４４が反対方向に回転される場合、輪郭５６、５８が、部材２８及びロッド４８を図４Ｂの位置へ半径方向に内側に移動させる。
【００２２】
カムフォロア６０は、カム輪郭５４、５８に係合するためにロッド４８に連結される。しかし、他の実施例において、ロッド４８及びカムフォロア６０は一体に形成されてもよく、または様々な手段（ねじまたは溶接など）により互いに連結されてもよい。それゆえ、本開示の範囲は、特定の構成のロッド４８及びカムフォロア６０に限定されない。
【００２３】
係合部材２８、ロッド４８、カム輪郭５４、５６、５８及びカムフォロア６０の１つのセットのみが図４Ａ及び図４Ｂに示されているが、複数のそのようなセットが、外部ハウジング２６に対して円周方向に配置される。回転カム４４は、カム輪郭５４、５６、５８のそれぞれ複数のセットを使用して、これらの複数の係合部材２８、ロッド４８及びカムフォロア６０を半径方向に内側及び外側に移動させるのに使用される。
【００２４】
図５は、回転ラッチ２４のカム輪郭５４、５６、５８の代表的な斜視図である。回転カム４４の上部は、その内部のカム輪郭５４、５６、５８が見えるように除去されている。
【００２５】
カム輪郭５４、５６、５８のそれぞれは半径方向に傾斜され、これにより、カム４４が回転されるときに、ロッド４８及び／またはカムフォロア６０はカム輪郭によって偏向されて、半径方向に（カムの回転の方向により）内側または外側に移動される。カム輪郭５６がロッド４８の端部に係合するように構成されることに留意されたい。
【００２６】
さらに、係合部材２８（図４Ａ及び図４Ｂ参照）がシール及び軸受アセンブリ３０と係合される場合に、ロッド４８及びカムフォロア６０がカム輪郭５６、５８の半径方向に傾斜した部分に接触しないように、カム輪郭５６、５８のそれぞれが構成されることに留意されたい。これは、ロッド４８の外側への偏向（例えば、ＲＣＤ１２の内部の圧力によるもの）がカム４４の回転を引き起こすのを防止する。カム４４の回転は、別の状況では、ロッド及び／またはカムフォロア６０がカム輪郭５６、５８の半径方向に傾斜した部分と接触することによって引き起こすことができる。
【００２７】
図６は、回転ラッチ２４の別の実施例の代表的な断面図である。この実施例において、偏向デバイス６２（圧縮ばねなど）は、係合部材２８及びロッド４８を半径方向に外側に移動させるのに使用される。カム輪郭５４は、部材２８及びロッド４８を外側に移動させるのに使用される。それゆえ、本開示の範囲は、回転ラッチ２４における特定の数または配置のカム輪郭の使用に限定されない。
【００２８】
図７は、回転制御デバイス１２の代表的な断面図である。この図において、複数のモータ６４が回転カム４４を回転させるのに使用されてよいことが理解できる。
【００２９】
この実施例において、モータ６４は外部ハウジング２６に実装され、モータのそれぞれはそのシャフト上にピニオンギア６６を有する。ピニオンギア６６は、回転カム４４上に実装されたリングギア６８に係合する。こうして、モータ６４はピニオンギア６６を回転させ、これがリングギア６８を回転させ、これにより回転カム４４が回転される。
【００３０】
モータ６４は、カム４４の回転を生じさせるのに適した任意のタイプのモータとすることができる。例えば、電気モータ、空気圧モータまたは油圧モータが使用できる。
【００３１】
他の実施例においては、モータ以外のデバイス（カム４４を回転させるようにレバーアームにより作動する、油圧または空気圧で駆動されるピストン及びシリンダ、または他のタイプの作動装置など）がカム４４を回転させるのに使用されてもよい。それゆえ本開示の範囲は、カム４４を回転させるための特定の手段の使用に限定されない。
【００３２】
図８は、回転ラッチ２４の手動の回転機構７０の代表的な断面図である。例えば、モータ６４が（例えば、電気、空気圧または油圧の動力の損失により）動作可能でない場合に、手動の回転機構７０により、カム４４を手動で回転させることが可能となる。必要であれば、複数の手動の回転機構７０が提供されてもよい。
【００３３】
手動の回転機構７０は、その上に固定されたピニオンギア６６のうちの１つを有するシャフト７２を備える。シャフト７２は、外部ハウジング２６に回転可能に固定される。
【００３４】
モータ６４を使用したカム４４の回転について上記で説明されたように、ピニオンギア６６はリングギア６８に係合する。しかし、図８の実施例において、ピニオンギア６６は、例えば、シャフト７２の端部内に形成されたソケット７４を使用して、手動で回転されてもよい。ソケット７４は、適切に構成された手工具（図示せず）と係合されてもよい。
【００３５】
図９は、図７の線９‐９に沿った、回転制御デバイス１２の代表的な断面図である。この図において、ピニオンギア６６をリングギア６８の周囲に配置するやり方が明確に理解できる。さらに、２つの手動の回転機構７０が、この実施例において使用されることが理解できる。
【００３６】
図１０は、図７の線１０‐１０に沿った、回転制御デバイス１２の代表的な断面図である。この図において、係合部材２８、ロッド４８及びカム輪郭５４、５６、５８を外部ハウジング２６に対して円周方向に配置するやり方が明確に理解できる。
【００３７】
係合部材２８全てが、モータ６４を使用した、または手動の回転機構７０（図８参照）を使用した回転カム４４の回転により、直線的及び半径方向に、内側及び外側に好都合に移動できる。しかし、係合部材２８を移動させる他の手段及び他の方向が、必要であれば使用されてもよい。例えば、ロッド４８が半径方向に配置される必要はなく、または、係合部材２８が半径方向にのみに移動される必要はない。それゆえ、本開示の範囲は、ＲＣＤ１２の特定の構成要素の特定の移動方向に限定されない。
【００３８】
上記の開示が、回転制御デバイスを構築し、且つ動作させる当技術分野に著しい発展をもたらすことがここで十分に理解できる。上記で説明された実施例において、シール及び軸受アセンブリ３０は、好都合に、回転ラッチ２４を使用してＲＣＤ１２に固定され、またそこから取外すことができる。これらの実施例において、回転ラッチ２４は回転カム４４を備え、これにより、カムの回転が係合部材２８の半径方向の移動につながる。
【００３９】
上記の開示は、一実施例において、外部ハウジング２６と、外部ハウジング２６に対して回転可能な少なくとも１つの環状のシール３２と、少なくとも１つの回転カム４４及び少なくとも１つの係合部材２８を備え、環状のシール３２及び軸受３６のうちの少なくとも１つを外部ハウジング２６に対して開放可能に固定するラッチ２４と、を含む回転制御デバイス１２を当技術分野に提供する。外部ハウジング２６に対する回転カム４４の回転が、係合部材２８を移動させる。
【００４０】
環状のシール３２が外部ハウジング２６から取外されるのを防ぐようにラッチ２４によって固定される場合に、環状のシール３２は、外部ハウジング２６に対して回転可能とすることができる。
【００４１】
回転制御デバイス１２は、環状のシール３２及び軸受３６を備えるシール及び軸受アセンブリ３０を含むことができる。シール及び軸受アセンブリ３０が外部ハウジング２６から取外されるのが、ラッチ２４によって防止できる。
【００４２】
ラッチ２４は、回転カム４４を回転させるモータ６４を備えることができる。ラッチ２４は、回転カム４４に連結されたギア６８をさらに備えることができ、ギア６８はモータ６４によって駆動される。
【００４３】
係合部材２８は、回転カム４４の回転に応答して、外部ハウジング２６に対して半径方向及び／または直線的に移動できる。
【００４４】
ラッチ２４は、回転カム４４の回転に応答して、外部ハウジング２６を通って移動するロッド４８を備えることができる。
【００４５】
係合部材２８は、回転カム４４の回転に応答して、外部ハウジング２６に対して外側に移動でき、環状のシール３２及び／または軸受３６が外部ハウジング２６から取外されるのが可能となる。
【００４６】
少なくとも１つの係合部材２８は、外部ハウジング２６内に円周方向に配置された複数の係合部材２８を含むことができる。
【００４７】
回転制御デバイス１２の外部ハウジング２６に対して少なくとも１つの環状のシール３２を開放可能にラッチする方法も上記で説明されている。一実施例において、方法は、回転カム４４を回転させることを含み、これにより、外部ハウジング２６に対して環状のシール３２を開放可能に固定する係合部材２８が直線的に移動される。環状のシール３２の取外しが防止される位置へ係合部材２８が移動される場合に、外部ハウジング２６に対する環状のシール３２の回転が可能となる。
【００４８】
回転ステップは、手動により、及び／またはモータ６４を用いて、回転カム４４を回転させることを含むことができる。回転ステップは、モータ６４を用いてギア６８を回転させることを含むことができる。ギア６８は回転カム４４に連結でき、外部ハウジング２６を包囲できる。
【００４９】
回転制御デバイス１２は、軸受３６を含むことができる。環状のシール３２の取外しが防止される位置へ係合部材２８が移動される場合に、軸受３６が外部ハウジング２６から取外されるのが防止できる。
【００５０】
係合部材２８は、回転ステップに応答して、外部ハウジング２６に対して半径方向に移動できる。ロッド４８は、回転ステップに応答して、外部ハウジング２６を通って移動できる。
【００５１】
回転ステップは、外部ハウジング２６に対して外側に係合部材２８を移動させることを含むことができ、これにより、環状のシール３２が外部ハウジング２６から取外されるのが可能となる。
【００５２】
さらに上記で説明されたのは、一実施例において、外部ハウジング２６と、外部ハウジング２６に対して回転可能な少なくとも１つの環状のシール３２と、少なくとも１つの回転カム４４及び外部ハウジング２６内に配置された複数の別個の係合部材２８を備えるラッチ２４と、を備える回転制御デバイス１２である。外部ハウジング２６に対する回転カム４４の回転が、外部ハウジング２６内の係合部材２８を移動させる。
【００５３】
ラッチ２４は、回転カム４４の回転に応答して外部ハウジング２６を通って移動する複数のロッド４８を備えることができる。係合部材２８は、回転カム４４上に形成された複数のそれぞれのカム輪郭５４、５６、５８によって移動できる。
【００５４】
様々な実施例が上記で説明され、各実施例が一定の特徴を有しているが、一実施例の特定の特徴がその実施例にのみ用いられる必要はないことを理解すべきである。むしろ、上記で説明され、及び／または図面に示されたいずれの特徴も、これらの実施例の任意の他の特徴とともに、またはこの代わりに、どの実施例とも組み合わせることができる。一実施例の特徴は、別の実施例の特徴にとって相互に排他的ものではない。むしろ、本開示の範囲は、いずれの特徴のどんな組み合せも包含する。
【００５５】
上記で説明された各実施例は特徴の一定の組み合わせを備えるが、実施例の特徴全てが使用される必要はないことを理解すべきである。むしろ、その他の特定の１つまたは複数の特徴を使用せずに、上記で説明された特徴のいずれも使用できる。
【００５６】
本願で説明された様々な実施形態が本開示の原理から逸脱することなく、傾斜、反転、水平、垂直等の様々な配向で、且つ様々な構成で利用できることを理解すべきである。実施形態は、本開示の原理の有用な適用の実施例として単に説明されており、これらの実施形態の具体的な詳細を制限するものではない。
【００５７】
代表的な実施例の上記説明において、方向を示す用語（「上の（ａｂｏｖｅ）」「下の（ｂｅｌｏｗ）」「上部の（ｕｐｐｅｒ）」「下部の（ｌｏｗｅｒ）」等など）は、添付の図面を参照するにあたり便宜上使用される。しかし、本開示の範囲は、本願で説明される特定の方向に限定されないことを明確に理解すべきである。
【００５８】
「備える（ｉｎｃｌｕｄｉｎｇ）」「備える（ｉｎｃｌｕｄｅｓ）」「含む（ｃｏｍｐｒｉｓｉｎｇ）」「含む（ｃｏｍｐｒｉｓｅｓ）」といった用語及び同様の用語は、本明細書において非限定的な意味で使用される。例えば、システム、方法、装置、デバイス等は、ある一定の特徴または要素を「備える（ｉｎｃｌｕｄｉｎｇ）」ものとして説明され、当該システム、方法、装置、デバイス等は、その特徴または要素を備えることができ、また、他の特徴または要素をさらに備えることができる。同様に、「含む（ｃｏｍｐｒｉｓｅｓ）」という用語は、「含むが、これに限定されない」ことを意味すると考えられる。
【００５９】
当然、多くの修正、追加、代用、削除及び他の変更を具体的な実施形態に対してすることができ、そのような変更は本開示の原理によって容認されることを、当業者は、本開示の代表的な実施形態の上記説明を注意深く考慮して、容易に理解するであろう。例えば、別個に形成されるものとして開示された構造は、他の実施例においては一体に形成されてもよく、その逆もまた同様である。従って、前述の詳細な説明は、実例及び実施例としてのみ示されたものと明確に理解すべきであり、本発明の趣旨及び範囲は、添付の特許請求の範囲及びその均等物によってのみ限定される。
【図１】
2016525638.tif 000003
【図２】
2016525638.tif 000004
【図３】
2016525638.tif 000005
【図４Ａ】
2016525638.tif 000006
【図４Ｂ】
2016525638.tif 000007
【図５】
2016525638.tif 000008
【図６】
2016525638.tif 000009
【図７】
2016525638.tif 000010
【図８】
2016525638.tif 000011
【図９】
2016525638.tif 000012
【図１０】
2016525638.tif 000013
【国際調査報告】
2016525638.tif 000014
2016525638.tif 000015
2016525638.tif 000016